(57)【要約】【課題】加熱機器のスピーカ取付け構造において、スピーカの熱保護、音圧レベルの安定化を図ると共に、スピーカの取付けの簡素化、およびコストダウンを図ること。【解決手段】スピーカ１はその凹部１ａにおいて、弾力性のある制御基板ホルダ２の係止爪２ａにより挟み込むように保持され、加熱部６からの輻射熱は、制御基板ホルダ２および制御基板４によって遮られる。また、スピーカ１は、制御基板ホルダ２に複数個設けられた取付け用脚２ｃの端部にもうけられ、テーパ状に形成された係止爪２ｄを、スピーカ取付け壁面８に設けられた、取付け孔８ａに挿入し、スライドさせることにより、そのフレーム部分をスピーカ取付け壁面８に圧接保持されるため、ビス等の部品が削除可能となる。さらに、制御基板ホルダの保持手段の外周に筒状部１１を設け、スピーカを覆うように共鳴空間を形成することにより、音圧レベルの安定化が可能となる。【選択図】図２
2010032083.tif 000002
【特許請求の範囲】
【請求項１】
本体と、前記本体内に設けた加熱室と、前記加熱室内の被加熱物を加熱する加熱手段と、前記加熱手段を制御する制御部と、前記制御部からの出力に基づき動作するスピーカとを備えた加熱装置において、前記制御部は前記加熱室と前記本体との間の空間に配置される制御基板から構成され、前記スピーカは、前記制御基板の前記加熱室と反対側に、前記制御基板を保持する制御基板ホルダに一体形成された保持手段により保持され、前記制御基板ホルダと前記本体のスピーカ取付け壁面とで圧接固定された加熱機器。
【請求項２】
前記スピーカは、胴部とホーン部との間に凹部を有し、前記スピーカの保持手段は、端部に係合部を有する複数本の支柱を有し、前記支柱を弾性変形させて前記係合部を前記凹部に係合させることにより前記スピーカを保持する請求項１に記載の加熱機器。
【請求項３】
前記制御基板ホルダに複数の取付け用脚を形成し、前記取付け用脚の端部に係止片を設け、前記係止片を前記スピーカ取付け壁面に設けた取付け孔に挿入してスライドさせることにより前記係止片を取付け孔の孔縁に係合させるとともに、前記係止片の係止面をテーパ状に形成して係止片が取付け孔の孔縁に圧接係合する構成とした請求項１または２に記載の加熱機器。
【請求項４】
前記制御基板と前記スピーカとは、前記本体と前記加熱室との間の底部空間に設けられるとともに、前記本体の底板には冷却空気取り入れ用の孔を設け、かつ、前記底部空間に冷却用ファンを設けた請求項１〜３のいずれか１項に記載の加熱機器。
【請求項５】
前記制御基板ホルダの保持手段の外周に筒状部を設け、前記筒状部で前記スピーカを覆って前記筒状部と前記スピーカ取付け壁面との間に共鳴空間を構成する請求項１〜４のいずれか１項に記載の加熱機器。
【発明の詳細な説明】
【技術分野】
【０００１】
本発明は加熱機器に用いられるスピーカの取付け構造に関するものである。
【背景技術】
【０００２】
最近の調理器は、機器内部にスピーカを配し、音声にてユーザーに情報を伝えるものが増えている。スピーカの取付けには、部品追加、および組立工数増加、配線処理等手間、コストがかかるものである。
【０００３】
従来、この種のスピーカの取付け構造は、プリント基板上にスピーカ保持部材を設け、その凹部スピーカのコア部分を挿入、固定し、さらに、スピーカ取付け面とスピーカフレーム圧接手段として、保持部材内部にバネ等を設け、スピーカを後面より、取付け面に押し付けている（例えば、特許文献１参照）。
【特許文献１】実開昭６２−２８６１号公報
【発明の開示】
【発明が解決しようとする課題】
【０００４】
しかしながら、前記従来の構成では、高温になる加熱機器（例えばオーブン付の電子レンジなど）へ用いる際に、遮熱等の配慮を別の部品で行う必要があり、部品追加、組立時の作業追加により、コストアップにつながる。
【０００５】
本発明は、前記従来の課題を解決するもので、スピーカを加熱室とは反対側に設け、かつ、前記制御基板の制御基板ホルダには前記スピーカを保持する保持手段を一体形成し、当該保持手段で保持したスピーカを前記制御基板ホルダで本体のスピーカ取付け壁面に圧接固定したもので、スピーカは制御基板、制御基板ホルダにより遮熱されるので、スピーカが高温部にさらされることがなく、安価な構成でスピーカの耐久性の向上を図ることができる。
【課題を解決するための手段】
【０００６】
上記従来の課題を解決するために、本発明の加熱機器のスピーカ取付け構造は、本体と、前記本体内に設けた加熱室と、前記加熱室内の被加熱物を加熱する加熱手段と、前記加熱手段を制御する制御部と、前記制御部からの出力に基づき動作するスピーカとを備えた加熱装置において、前記制御部は前記加熱室と前記本体との間の空間に配置される制御基板から構成され、前記スピーカは、前記制御基板の前記加熱室と反対側に、前記制御基板を保持する制御基板ホルダに一体形成された保持手段により保持され、前記制御基板ホルダと前記本体のスピーカ取付け壁面とで圧接固定されたものである。
【０００７】
これによって、制御基板、制御基板ホルダにより遮熱されるので、スピーカの高温部への照射がなく、安価な構成でスピーカの耐久性の向上を図ることができる。
【発明の効果】
【０００８】
本発明の加熱機器のスピーカ取付け構造によれば、加熱部からの輻射熱を制御基板、制御基板ホルダにより遮断し、スピーカの熱保護の為に専用の部品を必要としないため、部品点数、組立工数を削減し、コストダウンを図ることができる。
【０００９】
また、スピーカと取付け壁面との圧接には、ビスを用いない為、安価に仕上げることができる。さらに、スピーカを覆うように共鳴空間を設けるので、電流値を増やさずに音圧レベルの増大を図ることができる。
【発明を実施するための最良の形態】
【００１０】
第１の発明は、本体と、前記本体内に設けた加熱室と、前記加熱室内の被加熱物を加熱する加熱手段と、前記加熱手段を制御する制御部と、前記制御部からの出力に基づき動作するスピーカとを備えた加熱装置において、前記制御部は前記加熱室と前記本体との間の空間に配置される制御基板から構成され、前記スピーカは、前記制御基板の前記加熱室と反対側に、前記制御基板を保持する制御基板ホルダに一体形成された保持手段により保持され、前記制御基板ホルダと前記本体のスピーカ取付け壁面とで圧接固定されたものである。
【００１１】
これにより、制御基板、制御基板ホルダにより遮熱されるので、スピーカの高温部への照射がなく、安価な構成でスピーカの耐久性の向上を図ることができる。
【００１２】
第２の発明は、第１の発明において、前記スピーカは、胴部とホーン部との間に凹部を有し、前記スピーカの保持手段は、端部に係合部を有する複数本の支柱を有し、前記支柱を弾性変形させて前記係合部を前記凹部に係合させることにより前記スピーカを保持するものである。これにより、スピーカの取付け、取り外しが容易に行うことができる。
【００１３】
第３の発明は、第１または第２の発明において、前記制御基板ホルダに複数の取付け用脚を形成し、前記取付け用脚の端部に係止片を設け、前記係止片を前記スピーカ取付け壁面に設けた取付け孔に挿入してスライドさせることにより前記係止片を取付け孔の孔縁に係合させるとともに、前記係止片の係止面をテーパ状に形成して係止片が取付け孔の孔縁に圧接係合する構成としたものである。
【００１４】
これにより、ビス止めしなくても、取付け面への圧接を確実にし、スピーカの音圧レベルの安定化が図れる。
【００１５】
第４の発明は、第１から第３の発明のいずれかにおいて、前記制御基板と前記スピーカとは、前記本体と前記加熱室との間の底部空間に設けられるとともに、前記本体の底板には冷却空気取り入れ用の孔を設け、かつ、前記底部空間に冷却用ファンを設けたものである。これにより、制御基板、制御基板ホルダを含め、スピーカにいたるまで確実にその温度の低減をはかることができる。
【００１６】
第５の発明は、第１から第４の発明のいずれかにおいて、前記制御基板ホルダの保持手段の外周に筒状部を設け、前記筒状部で前記スピーカを覆って前記筒状部と前記スピーカ取付け壁面との間に共鳴空間を構成するものである。これにより、スピーカの電流値を高く設定しなくても音圧レベルの向上が図れる。
【００１７】
（実施の形態）
図１は、本発明の実施の形態における加熱機器のスピーカ取付け構造図である。スピーカ１はその凹部１ａにおいて、制御基板ホルダ２に設けられた係止爪２ａにより挟み込むように保持され、また、後面１ｂにおいては制御基板ホルダ２底面の平面部２ｂに面接触している。
【００１８】
スピーカ１の制御基板ホルダ２への脱着は、制御基板ホルダ２に設けられた係止爪２ａを弾性的に押し広げることにより容易にとりおこなうことできる。制御基板ホルダ２の上部には制御基板４が設けられ、加熱部６との間は空間部７が設けられている。
【００１９】
ここで、加熱部６からの輻射熱は、制御基板ホルダ２および制御基板４によって遮られ、スピーカ１に伝達することが少ないので、スピーカ１の耐久性の向上を図ることができ
る。
【００２０】
図２は、スピーカ１とスピーカ取付け壁面８とが圧接係合された状態の断面図である。
【００２１】
スピーカ１は、制御基板ホルダ２に複数個設けられた取付け用脚２ｃの端部にもうけられ、テーパ状に形成された係止爪２ｄを、スピーカ取付け壁面８に設けられた、取付け孔８ａに挿入し、スライドさせることにより、そのフレーム部分をスピーカ取付け壁面８に圧接保持される。
【００２２】
上記構成によれば、スピーカの固定、圧接にビス止めの必要がなくなり、製造工数の削減、およびコストダウンを図ることができる。
【００２３】
さらに、空間部７に冷却用ファン（図示しない）を設ければ、スピーカの温度上昇をさらに抑えることができる。
【００２４】
また、図３に示すように、制御基板ホルダ２の保持手段の外周に筒状部１１を設け、この筒状部１１とスピーカ取付け壁面８に共鳴空間１０を設ける。これにより、スピーカの音量の向上を図ることができる。
【産業上の利用可能性】
【００２５】
以上のように、本発明は、特に電子レンジ等の加熱機器に適用可能であり、加熱部からの輻射熱を制御基板、制御基板ホルダにより遮断し、スピーカの熱保護の為に専用の部品を必要としないため、部品点数、組立工数を削減し、コストダウンを図るものである。
【００２６】
また、スピーカと取付け壁面との圧接には、ビスを用いない為、安価に仕上げることができる。さらに、スピーカを覆うように共鳴空間を設けるので、電流値を増やさずに音圧レベルの増大をはかることが可能となるので、高温部分を有し、スピーカの取付けが必要なあらゆる製品分野に適用できる。
【図面の簡単な説明】
【００２７】
【図１】本発明の実施の形態１における加熱機器のスピーカ取付け構造図
【図２】スピーカとスピーカ取付け壁面とが圧接係合された状態におけるスピーカ取付け構造の断面図
【図３】制御基板ホルダの保持手段の外周に筒状部を設け共鳴空間を形成した状態におけるスピーカ取付け構造の断面図
【符号の説明】
【００２８】
１  スピーカ
２  制御基板ホルダ
２ａ  係止爪
２ｂ  平面部  
２ｃ  取付け用脚
２ｄ  係止爪
４  制御基板
６  加熱室
７  空間部
８  スピーカ取付け壁面
１０  共鳴空間
１１  筒状部
【図１】
2010032083.tif 000003
【図２】
2010032083.tif 000004
【図３】
2010032083.tif 000005